(57)【要約】【課題】装着者に不快感や圧迫感を与えることなく、長時間に亘って陰茎の向きを適正に維持する。【解決手段】介護用陰茎固定具（2,20,30）は、オムツ又は自動排泄処理装置の排泄物受けユニット(46)と一緒に用いられる。陰茎固定具は、陰茎の挿入を受け入れるための筒状本体(4,22)と、この筒状本体(4,22)から患者の下腹部に向けて延び且つ平坦な取付部(10,32)とを備えている。【選択図】図8
2020171471.tif 000002
【特許請求の範囲】
【請求項１】
オムツ又は自動排泄処理装置の排泄物受けユニット(46)と一緒に用いられる介護用陰茎固定具（2,20,30）であって、
患者の陰茎の挿入を受け入れるために陰茎基部側開口(4a)と亀頭側開口(4b)とを備えた筒状本体(4,22)と、
該筒状本体(4,22)の前記陰茎基部側開口(4a)から患者の下腹部に向けて延び且つ平坦な取付部(10,32)とを備えた介護用陰茎固定具。
【請求項２】
前記介護用陰茎固定具が一枚のシート(14)から構成され、
該シートの一端部分(14a)の幅方向両端を重ね合わせた状態で接着することにより前記筒状本体(4,22)が作られている、請求項１に記載の介護用陰茎固定具。
【請求項３】
前記筒状本体(4,22)が、勃起に伴う陰茎の径方向の拡大を吸収する形状部分(8)を有する、請求項１又は２に記載の介護用陰茎固定具。
【請求項４】
前記取付部(10)が平面視リップ状の形状を有する、請求項１〜３のいずれか一項に記載の介護用陰茎固定具。
【請求項５】
前記取付具(32)が平面視Ｔ字状の形状を有する、請求項１〜３のいずれか一項に記載の介護用陰茎固定具。
【請求項６】
請求項１〜５のいずれか一項に記載の介護用陰茎固定具（2,20,30）と、
該介護用陰茎固定具と一緒に用いられる前記排泄物受けユニット(46)とを含む介護装置であって、
前記排泄物受けユニット(46)が、汚物受けトレー部(50)及び尿受けカップ部(52)からなるユニット本体(46(B))と、該ユニット本体(46(B))の周囲に広がるクッションカバー部(54)と、該クッションカバー部(54)に対して脱着可能なクッション部材(56)とを含み、
前記クッションカバー部(54)は、患者の局部の周囲に連続して延びる漏れ防止壁(78)を有し、
前記クッション部材(56)は、前記漏れ防止壁(78)と接する部分をL字状に切り欠いた形状の段付き部(80)を有し、
該クッション部材(56)を前記クッションカバー部(54)に装着したとき、前記段付き部(80)が前記漏れ防止壁(78)と当接し且つ該漏れ防止壁(78)の頂面を覆う状態となることを特徴とする介護装置。
【請求項７】
前記クッション部材(56)が防水性の表皮(56b)を有し、
該クッション部材(56)の患者の臀部と当接する臀部当接部位(56c)の面(56d)が防水性と共に通気性を有する、請求項６に記載の介護装置。
【請求項８】
介護用ガーター(48,110)を更に含み、
該介護用ガーター(48,110)が、
患者の臀部と当接するガーター本体(90)と、
該ガーター本体(90)から左右に延びて、患者の腰に巻き付けられる一対の腰ベルト(92)と、
前記ガーター本体(90)から下方に延びて、患者の股間を通る一対の股ベルト(96,112)と、
前記ガーター本体(90)から斜め下方に延びて、患者の股関節の部位を通る一対の股関節ベルト(100)とを有し、
該一対の股関節ベルト(100)が患者の下腹部で固定される、請求項６又は７に記載の介護装置。
【発明の詳細な説明】
【技術分野】
【０００１】
本発明は、一般的に、下肢機能障害など歩行不能な患者や自力でトイレに行くことのできない人、頻尿者など（以下、「患者」と総称する。）に適用される介護具であり、より詳しくは、長時間に亘って患者が装着する排泄介護具に適用可能な陰茎固定具及び介護装置に関する。
【背景技術】
【０００２】
特許文献１は、患者に適用される男性用尿瓶を開示している。この尿瓶は、一般的な睡眠時間である８時間分の尿を貯留することができる容量を有している。尿瓶との組み合わせで陰茎固定リングが用いられる。陰茎固定リングは、海綿、ウレタンスポンジなどの弾性素材から作られている。陰茎固定リングの貫通孔は、弛緩時の陰茎の平均的な直径よりも若干大きな直径を有している。この陰茎固定リングは、好ましくは切り込みを有し、この切り込みを通じて陰茎を固定リングに装着する又は固定リングから陰茎を離脱させるのが容易である。固定リングを陰茎根に装着した後、固定リングを圧縮して尿瓶の陰茎挿入口に挿入する。これにより、陰茎は固定リングによって尿瓶に固定された状態となるため陰茎が尿瓶から不用意に脱出し難くなる。
【０００３】
特許文献２は、陰茎をオムツに固定することを目的として、伸縮性を備え且つ陰茎を挿入可能な筒状本体と、該筒状本体をオムツに固定するための接続部材とを備えた陰茎固定具を提案している。筒状本体の材料は、シリコーンを塗布したストッキング素材、不織布とゴム紐の組み合わせが例示されている。また、オムツの例示として紙オムツを挙げている。
【０００４】
介護者の負担軽減などを目的として、例えば夜間、自動排泄処理装置が用いられる。この種の装置として特許文献３に開示の自動排泄処理装置を挙げることができる。この自動排泄処理装置は、患者の排泄物を受け止めて吸引する機構と、肛門などの局部を洗浄し、そして乾燥させる機構とを有している。排泄物を受け止めて吸引する機構は、その主要な構成部材として排泄物受けユニット本体を含む。排泄物受けユニット本体は、尿、大便などの汚物を受けるための合成樹脂の成型品であり、患者の局部に対向して延びる縦長の且つ側面視したときに湾曲した形状部分を含んでいる。排泄物受けユニット本体は、装着具として設計されたオムツに組み付けられて患者の股間に位置決めされる。このオムツの組立体は排泄物受けユニットとも呼ばれている。
【０００５】
特許文献３は、自動排泄処理装置に含まれる排泄物受けユニットを、互いに分離可能な幾つかの部材で構成することを提案している。排泄物受けユニットは、汚物を受けるトレー状の汚物受けトレー部と、この汚物受けトレー部の一端から起立して尿を受ける尿受けカップ部とが一体的に成形された主要部品を有している。尿受けカップ部は、患者から離れる方向に膨らみを有するカップ状の形状を有し、その上端が上方に向けて開放されている。排泄物受けユニットは、上記の主要部品に対して２つの部材が脱着可能である。第１の脱着可能部材は、尿受けカップ部の上端開口に対して脱着可能な腹当てカバー部材である。第２の脱着可能部材は、尿受けカップ部の起立する側縁に対して装着可能であり、汚物受けトレー部の上に設置されて患者の臀部を受ける尻当てカバー部材である。
【先行技術文献】
【特許文献】
【０００６】
【特許文献１】ＷＯ２００３/０６８１２７号公報
【特許文献２】JP特開２０１０−１５４９９４号公報
【特許文献３】JP特開２００６−５５５１３号公報
【発明の概要】
【発明が解決しようとする課題】
【０００７】
特許文献３に開示のような自動排泄処理装置の使用に際して、介護者が患者の局部に排泄物受けユニットを装着することになるが、男性患者の場合、陰茎の向き、つまり尿道口の方向が不適切だと排尿に伴ってユニットから尿漏れが発生する可能性が高くなる。このことから、陰茎の向きを調整しながら排泄物受けユニットを男性患者に装着することが行われている。しかし、装着時に陰茎の尿道口の方向を適正にしたとしても、長時間、同じ方向に維持することは実際上不可能である。例えば、患者の体位変換によって排泄物受けユニットの中の陰茎の向きが変わってしまう。また、勃起によっても尿道口の方向が変わってしまう。
【０００８】
本発明の目的は、装着者に不快感や圧迫感を与えることなく、長時間に亘って陰茎の向きを適正に維持することができる介護用陰茎固定具及び介護装置を提供することにある。
【課題を解決するための手段】
【０００９】
上記の技術的課題を達成すべく、本発明の一つの観点によれば、
オムツ又は自動排泄処理装置の排泄物受けユニット(46)と一緒に用いられる介護用陰茎固定具（2,20,30）であって、
患者の陰茎の挿入を受け入れるために陰茎基部側開口(4a)と亀頭側開口(4b)とを備えた筒状本体(4,22)と、
該筒状本体(4,22)の前記陰茎基部側開口(4a)から患者の下腹部に向けて延び且つ平坦な取付部(10,32)とを備えた介護用陰茎固定具を提供することにより達成することができる。
【００１０】
本発明の好ましい実施形態において、筒状本体(4,22)は合成樹脂製である。そして、筒状本体(4,22)は、好ましくは、患者の勃起に伴う陰茎の径方向の拡大に応答して該筒状本体(4,22)の径方向の拡張を容易にするための「形状部分」を有している。形状部分の典型例は、筒状本体(4,22)の長手方向に延びるスリット(8)であるが、例えば、筒状本体(4,22)を波形断面にすることで勃起に伴う陰茎の径方向の拡大を吸収してもよい。
【００１１】
本発明は、他の観点によれば、
上記の介護用陰茎固定具（2,20,30）と、該介護用陰茎固定具と一緒に用いられる前記排泄物受けユニット(46)とを含む介護装置であって、
前記排泄物受けユニット(46)が、汚物受けトレー部(50)及び尿受けカップ部(52)からなるユニット本体(46(B))と、該ユニット本体(46(B))の周囲に広がるクッションカバー部(54)と、該クッションカバー部(54)に対して脱着可能なクッション部材(56)とを含み、
前記クッションカバー部(54)は、患者の局部の周囲に連続して延びる漏れ防止壁(78)を有し、
前記クッション部材(56)は、前記漏れ防止壁(78)と接する部分をL字状に切り欠いた形状の段付き部(80)を有し、
該クッション部材(56)を前記クッションカバー部(54)に装着したとき、前記段付き部(80)が前記漏れ防止壁(78)と当接し且つ該漏れ防止壁(78)の頂面を覆う状態となることを特徴とする介護装置を提供する。
【００１２】
本発明の作用効果及び他の目的は、本発明の好ましい実施例の詳細な説明から明らかになろう。
【図面の簡単な説明】
【００１３】
【図１】実施例の陰茎固定具の斜視図である。
【図２】図１のII−II線に沿った断面図である。
【図３】図１のIII−III線に沿った断面図である。
【図４】図１に図示の陰茎固定具を展開した図であり、図１の陰茎固定具が一枚のシートから作製されていることを説明するための図である。
【図５】第１変形例の陰茎固定具の斜視図である。
【図６】第２変形例の陰茎固定具の斜視図である。
【図７】実施例の陰茎固定具と一緒に用いるのが好ましい自動排泄処理システムを説明するための図である。
【図８】図７に図示の自動排泄処理システムが排泄物受けユニットと陰茎固定具と介護用ガーターとを含むことを説明するための図である。
【図９】排泄物受けユニットが、脱着可能なクッション部材を含むことを説明するための図である。
【図１０】クッションカバー部の構造を説明するための断面図である。
【図１１】クッション部材を装着した状態の排泄物受けユニットの斜視図である。
【図１２】排泄物受けユニットの縦断面図である。
【図１３】図１１のXIII−XIII線に沿った断面図である。
【図１４】図１２のXIVで指し示す部位を拡大した断面図である。
【図１５】図９のXV−XV線に沿った断面図であり、クッション部材の構造を説明するための図である。
【図１６】介護用ガーターの正面図である。
【図１７】介護用ガーターの背面図である。
【図１８】介護用ガーターの平面図である。
【図１９】介護用ガーターの底面図である。
【図２０】介護用ガーターの右側面図である。
【図２１】患者に装着した排泄物受けユニットを介護用ガーターで固定した状態を説明するための図である。
【図２２】男性用の排泄物受けユニットの平面図である。
【図２３】男性用の排泄物受けユニットの断面図である。
【図２４】女性用の排泄物受けユニットの平面図である。
【図２５】女性用の排泄物受けユニットの断面図である。
【図２６】陰茎固定具を装着した男性患者に自動排泄処理システムを適用した状態を説明するための図である。
【図２７】変形例の介護用ガーターの正面図である。
【図２８】変形例の介護用ガーターを患者に装着した状態を説明するための図である。
【発明を実施するための形態】
【実施例】
【００１４】
以下に、添付の図面に基づいて本発明の好ましい実施例を説明する。
【００１５】
図１は、実施例の陰茎固定具の斜視図である。図２は、図１のII−II線に沿った断面図である。図３は、図１のIII−III線に沿った断面図である。図１を参照して、陰茎固定具２は、陰茎の挿入を受け入れる筒状本体４を有し、筒状本体４は両端が開口した中空形状を有している。すなわち、筒状本体４は、陰茎基部側開口４aと、亀頭側開口４bとを有する中空筒状であり且つ断面略円形の形状を有している（図２）。
【００１６】
筒状本体４は複数の通気孔６を有しており、通気孔６の数およびその形状は任意である。筒状本体４は、図１、図３から分かるように、陰茎基部側開口４aに開放したスリット８を有し、スリット８は筒状本体４の長手方向に延びている。具体的には、スリット８は２つ設けられており、この２つのスリット８は直径方向に互いに対抗して位置している（図３）。スリット８の数は任意である。各スリット８はその一端が陰茎基部側開口４aに開放し、他端が筒状本体４の長手方向中間部分で終わっている。
【００１７】
陰茎固定具２は、これを患者の下腹部に定置するための取付部１０を有している。取付部１０は、筒状本体４の陰茎基部側開口４aから患者の臍に向けて延出しており、筒状本体４と一体構造である。取付部１０は平坦なリップ状の形状を有し、患者の下腹部において幅方向に広がりを有している。実施例の陰茎固定具２は、図１から分かるように、リップ状の取付部１０の中央部分に開口１０aを有しているが、これは必須ではない。中央部分の開口１０aは通気のために設けられており、例えば複数の通気孔で構成してもよい。図１において、参照符号１２は通気孔を示す。
【００１８】
図４は、陰茎固定具２を展開した図である。陰茎固定具２は、図４から分かるように、一枚のシート１４から構成されている。シート１４は、適度な弾性及び保形性を有する合成樹脂、典型的にはシリコーンスポンジの成型品である。このシリコーンスポンジは連続気泡であり、通気性に優れている。陰茎固定具２の筒状本体４は、シート１４の一端部分１４aの幅方向両端を重ね合わせた状態で接着することにより形成される。陰茎固定具２は、筒状本体４を備えた状態で市場に提供される。
【００１９】
筒状本体４の直径は、弛緩時の陰茎の平均直径よりも若干大きな寸法に設定されているのがよく、弛緩した陰茎を筒状本体４の中に挿入することができ、筒状本体４に挿入した陰茎は、その亀頭部分が外部に露出した状態になる。陰茎の挿入を受け入れる筒状本体４がスリット８を備えることにより、勃起に伴う陰茎の径方向の拡大に応答して、その長手方向の全体が容易に径方向に拡張することができ、これにより陰茎の鬱血を防止できる。スリット８の変形例として、筒状本体４を波形断面にすることで勃起に伴う陰茎の径方向の拡大を吸収してもよい。この波形断面及びスリット８を包括する定義として「形状部分」という用語を使う。
【００２０】
図５、図６は、陰茎固定具２の変形例を説明するための図である。図５に図示の陰茎固定具２０は、筒状本体４の第１変形例を示すものであり、第１変形例の陰茎固定具２０の筒状本体２２は筒状に成形されることにより形作られている。図６に図示の陰茎固定具３０は、取付部１０の変形例を示すものであり、第２変形例の陰茎固定具３０の取付部３２は、平面視Ｔ字状の形状を有している。第２変形例の陰茎固定具３０は、図４を参照して説明した一枚のシート１４から筒状本体４を形成したものであってもよいし、第１変形例の陰茎固定具２０で説明した成形した筒状本体２２であってもよい。図６に示す参照符号３４は通気孔を示す。
【００２１】
図１〜図６を参照して説明した陰茎固定具２、２０、３０は、図７に示す自動排泄処理システム４０と一緒に用いられる。陰茎固定具２、２０、３０の適用はこれに限定されず、例えばパンツ型の紙オムツと一緒に使うことも可能である。図７を参照して、自動排泄処理システム４０は、処理装置本体４２と、この処理装置本体４２に、汚物吸引ホースなどを含む可撓性連結部材４４を介して接続された排泄物受けユニット４６と、患者に装着された排泄物受けユニット４６を固定するための介護用ガーター４８とを含む。
【００２２】
上述した陰茎固定具２、２０、３０のうち、図１を参照して説明した陰茎固定具２を例に以下に説明する。図８は、排泄物受けユニット４６と、陰茎固定具２と、介護用ガーター４８とを示す図である。排泄物受けユニット４６は、図９に図示するように、汚物受けトレー部５０、尿受けカップ部５２からなるユニット本体４６（B）（図１２）と、クッションカバー部５４との組立体であり、クッションカバー部５４は、ユニット本体４６(B)に接着される。クッションカバー部５４は適度な可撓性を有し、患者の臀部、股間、下腹部に沿って変形可能である。汚物受けトレー部５０、尿受けカップ部５２は合成樹脂の成型品である。クッションカバー部５４はクッション性のある材料で作られている。図１０は、クッションカバー部５４の断面図である。図１０を参照して、クッションカバー部５４は、患者側の第１外皮５４aと、外側の第２外皮５４bと、芯材を構成するクッション素材５４cとで構成されている。患者側の第１外皮５４aは、防水性を備え且つ肌に粘着しない肌当たりの良い材料で構成されている。具体的には、ネオプレーンゴムにフッ素樹脂をコーティングした材料で構成されている。第２外皮５４bは、通気性を備えた材料、例えばジャージ生地で構成されている。クッション素材５４cは防水性を備え且つ柔軟性を備えた、例えばネオプレーンゴムで構成されている。
【００２３】
クッションカバー部５４には、クッション部材５６が脱着可能に装着される。図１１は、クッション部材５６を取り付けた状態の排泄物受けユニット４６を示す。
【００２４】
図１２は、排泄物受けユニット４６の縦断面図である。図１３は、図１１のXIII−XIII線に沿った排泄物受けユニット４６の断面図である。図１３に参照符号５４dで指し示す部位は尿受けカップ部５２に連続する凸部である。先ず、図１２を参照して、合成樹脂製のユニット本体４６（B）は、汚物吸引するホースが接続される第１接続口６０と、洗浄水を供給するホースが接続される第２接続口６２と、温風を供給するホースが接続される第３接続口６４とを有する。また、ユニット本体４６（B）は、第２接続口６２を通じて供給された洗浄水を肛門に向けて吐出する第１、第２の肛門用洗浄口７０、７２と、汚物受けトレー部５０の汚物を第１接続口つまり汚物吸引ホース接続口６０に向けて洗浄水を吐出する汚物用洗浄口７４に加えて、女性患者の尿道口に向けて洗浄水を吐出する尿道口洗浄口７６とを有している。なお、上述した汚物受けトレー部５０には、既知のように、排泄物検知センサが設けられて排泄を検知すると、予め定められた手順で、ユニット本体４６(B)から汚物を吸引し、次に肛門などを洗浄し、次に乾燥させる工程が実行される。
【００２５】
図１２、図１３を参照して、クッションカバー部５４は、断面矩形の漏れ防止壁７８を有している。漏れ防止壁７８は、患者の局部の周囲に連続して延びている。クッション部材５６は、漏れ防止壁７８と接する部分に段付き部８０を有し、この段付き部８０においてL字状に切り欠いた形状の段部８０aに漏れ防止壁７８を当接し且つ漏れ防止壁７８の頂面を覆う状態でクッションカバー部５４に装着される。図中、参照符号８２は面ファスナを示す。面ファスナ８２によってクッション部材５６がクッションカバー部５４に固定される。面ファスナ８２に代えて両面接着テープ（図示せず）でクッション部材５６をクッションカバー部５４に固定してもよい。
【００２６】
図１４は、図１２の矢印XIVで指し示す部位の拡大図である。漏れ防止壁７８は、その芯材としてウレタンフォーム７８aを含み、このウレタンフォーム７８aは前述の防水性を備えた第１外皮５４aで覆われている。
【００２７】
図１５は、図９のXV−XV線に沿った断面図である。図１５を参照して、クッション部材５６は、例えばウレタンフォームからなるクッション素材５６aと、クッション素材５６aを包囲する表皮材５６bとで構成され、クッション素材５６aは、前述した漏れ防止壁７８の芯材と同様に、ウレタンフォームで構成されている。表皮材５６ｂは、防水性を備えた生地、例えばネオプレーン生地で構成されている。この表皮材５６ｂに関し、患者の臀部と当接する臀部当接部位５６c（図１１、図１２）は、患者（臀部）と接する面５６d（図１４）が、通気性を備えた布地に撥水加工を施すことにより防水性だけでなく通気性を備えた生地で構成されている。これにより、患者の臀部の褥瘡の発生を抑えることができる。
【００２８】
クッションカバー部５４にクッション部材５６を脱着可能に付加することで、患者の局部の周囲に密着する部位のクッション性を、クッション部材５６を交換することにより長期に亘って維持することができる。この利点を確保するためにクッション部材５６とクッションカバー部５４との接触部位を図１２〜図１４に図示の構成を採用することにより、当該部位からの漏れを防止することができる。すなわち、クッション部材５６の段部８０aは、上述したクッション素材５６aとこれを包囲する防水性の表皮材５６bで構成されており、また、同様に、クッションカバー部５４の漏れ防止壁７８は、その芯材としてウレタンフォーム７８aを包囲する第１外皮５４aが防水性を備えた材料で構成されているため、排泄物受けユニット４６を適正に装着した状態では、クッション素材５６a、ウレタンフォーム７８aの適度な圧縮変形の反力によって防水表皮材５６b、５４a同士の密着性を維持することができる。
【００２９】
図１６〜図２０は介護用ガーター４８を説明するための図である。図１６は、装着時に患者に対向する正面図である。図１７は、ベッドに対向する背面図である。図１８は平面図である。図１９は底面図である。図２０は右側面図である。左側面図は図２０の右側面図と同じであることから図示を省略する。
【００３０】
患者に装着した排泄物受けユニット４６は、介護用ガーター４８によって固定される。図２１は、介護用ガーター４８を患者に装着した状態を説明するための図である。介護用ガーター４８は、患者の臀部と当接するガーター本体９０から左右に延びる一対の腰ベルト９２を有し、一対の腰ベルト９２を患者の腰に巻き付けて面ファスナ９４によって腰ベルト９２同士を固定することができる。この腰ベルト９２の幅Ｗ(west)（図２１）は、排泄物受けユニット４６のクッションカバー部５４のうち患者の下腹部と当接する腹当てカバー部位５４(B)の一部と干渉できるように設定されている。これにより、排泄物受けユニット４６は、腹当てカバー部位５４(B)が腰ベルト９２によって患者の腹部と密着した状態となり、この状態が維持される。
【００３１】
介護用ガーター４８は、ガーター本体９０から下方に延びる一対の股ベルト９６を有している（図１６）。この一対の股ベルト９６は患者の股間を通って患者の前方に引き出される。一対の股ベルト９６の先端部９６aには、互いに嵌合するスナップボタン９８が設けられている。図２１を参照して、一対の股ベルト９６は、排泄物受けユニット４６において可撓性連結部材４４を接続する部位に巻き付けられ、そして、一対の股ベルト９６の先端部９６a同士がスナップボタン９８を使って固定される。
【００３２】
介護用ガーター４８の好ましい装着手順としては、先ず、ガーター４８に排泄物受けユニット４６を位置決めした状態で、側臥位の患者に排泄物受けユニット４６を当てがい、そして、排泄物受けユニット４６を患者の局部に位置決めしたら、ホースなどの可撓性連結部材４４を接続する部位に一対の股ベルト９６を巻き付けてスナップボタン９８で股ベルト９６の先端同士を固定する。次に患者を仰臥位に姿勢変換して腰ベルト９２を装着する。これにより、排泄物受けユニット４６は、腹当てカバー部位５４(B)が腰ベルト９２によって固定され、また、可撓性連結部材４４を接続する部位が股ベルト９６によって臀部の方に引き寄せられた状態で固定される。
【００３３】
介護用ガーター４８は、一対の股関節ベルト１００を有している。図１６などを参照して、股関節ベルト１００は、ガーター本体９０の中央部分から斜め下方に延びており、患者の臀部から股関節の部位を通り患者の下腹部まで延びる長さを有している（図２１）。一対の股関節ベルト１００の先端部には、夫々、第１面ファスナ１０２（図１６）が設けられ、これと係合する第２面ファスナ１０４が腹当てカバー部位５４(B)に設けられている。これら第１、第２の面ファスナ１０２、１０４が係止することによって、各股関節ベルト１００を、排泄物受けユニット４６の腹当てカバー部位５４(B)に固定することができる。この股関節ベルト１００によって、患者の局部に位置決めした排泄物受けユニット４６の状態の維持を長時間に亘って確実なものにすることができる。
【００３４】
排泄物受けユニット４６は、男性用と女性用とに分類した２種類のユニットを用意するのが好ましい。男性用と女性用とを識別するために、男性用には参照符号(M)を付記し、女性用には参照符号(F)を付記して以下に説明する。図２２、図２３は、男性用の排泄物受けユニット４６（M）を説明するための図である。図２４、図２５は、女性用の排泄物受けユニット４６（F）を説明するための図である。男性用と女性用との本質的な違いは尿受けカップ部５２及びクッションカバー部５４の凸部５４dに見られる。図２２、２３と、図２４、２５とを参照して、男性用の尿受けカップ部５２（M）及び凸部５４d(M)の幅Ｗ(M)及び奥行きＤ(M)は女性用の尿受けカップ部５２（F）の幅Ｗ(F)及び奥行きＤ(F)よりも大きい。男性用の尿受けカップ部５２（M）の幅Ｗ(M)及び奥行きＤ(M)は陰茎及び睾丸を受け入れることのできる寸法に設定されている。これに対して、女性用の尿受けカップ部５２（F）及び凸部５４d（F）の幅Ｗ(F)は女性の局部を受け入れることができる寸法に設定されている。従来は、男性と女性の兼用のカップ部が採用されており、この場合には男性を主眼において寸法が設定されていたため、女性にとって大き過ぎるため女性患者に不快感を与えていた。
【００３５】
図２６は、陰茎固定具２を自動排泄処理システム４０と一緒に用いたときの状態を説明するための図である。陰茎固定具２の取付部１０は腰ベルト９２と患者の下腹部との間まで延びる長さを有している。これにより、陰茎固定具２は、その取付部１０の一部が腰ベルト９２によって固定される。また陰茎固定具２は股関節ベルト１００によって左右方向への変位が抑制される。これにより陰茎固定具２を位置決めした状態を長時間に亘って維持することができる。
【００３６】
図１６などを参照して説明した介護用ガーター４８は、前述したように、一対の股ベルト９６を排泄物受けユニット４６において可撓性連結部材４４を接続する部位に巻き付ける構成を有している。変形例を図２７、図２８を参照して説明する。この変形例の介護用ガーター１１０は、腰ベルト９２まで延びる長さ寸法を備えた一対の長尺股ベルト１１２を有している。一対の長尺股ベルト１１２は、その先端部分に面ファスナ１１４を有し（図２７）、この面ファスナ１１４を使って腰ベルト９２に固定することができる（図２８）。
【００３７】
変形例の介護用ガーター１１０は、好ましくは、一つの長尺股ベルト１１２の長手方向中間部分に横断ベルト１０６を含むのがよい。この横断ベルト１０６は、排泄物受けユニット４６の尿受けカップ部５２を横断して位置し、これにより排泄物受けユニット４６を横断ベルト１０６で押さえつけることができる。
【符号の説明】
【００３８】
２  陰茎固定具
４  筒状本体
４a  陰茎基部側開口
４b  亀頭側開口
８  スリット
１０  取付部
１４  展開したシート
１４a  シートの一端部分
２０  第１変形例の陰茎固定具
２２  第１変形例の陰茎固定具の筒状本体
３０  第２変形例の陰茎固定具
３２  第２変形例の陰茎固定具のＴ字状の取付部
４０  自動排泄処理システム
４６  排泄物受けユニット
４８  介護用ガーター
５０  排泄物受けユニットの汚物受けトレー部
５２  排泄物受けユニットの尿受けカップ部
５４  排泄物受けユニットのクッションカバー部
５４(B)  クッションカバー部の腹当てカバー部位
５６  クッション部材
７８  漏れ防止壁
９０  介護用ガーターの臀部と当接するガーター本体
９２  介護用ガーターの腰ベルト
９６  介護用ガーターの股ベルト
１００  介護用ガーターの股関節ベルト
【図１】
2020171471.tif 000003
【図２】
2020171471.tif 000004
【図３】
2020171471.tif 000005
【図４】
2020171471.tif 000006
【図５】
2020171471.tif 000007
【図６】
2020171471.tif 000008
【図７】
2020171471.tif 000009
【図８】
2020171471.tif 000010
【図９】
2020171471.tif 000011
【図１０】
2020171471.tif 000012
【図１１】
2020171471.tif 000013
【図１２】
2020171471.tif 000014
【図１３】
2020171471.tif 000015
【図１４】
2020171471.tif 000016
【図１５】
2020171471.tif 000017
【図１６】
2020171471.tif 000018
【図１７】
2020171471.tif 000019
【図１８】
2020171471.tif 000020
【図１９】
2020171471.tif 000021
【図２０】
2020171471.tif 000022
【図２１】
2020171471.tif 000023
【図２２】
2020171471.tif 000024
【図２３】
2020171471.tif 000025
【図２４】
2020171471.tif 000026
【図２５】
2020171471.tif 000027
【図２６】
2020171471.tif 000028
【図２７】
2020171471.tif 000029
【図２８】
2020171471.tif 000030